(57)【要約】【課題】操縦者を必要とする被操縦機器の貸借利用を促進させるための被操縦機器貸借利用マッチングシステムを提供する。【解決手段】被操縦機器貸借利用マッチングシステム１は、記憶部２と、受付部３と、制御部４と、を備えている。記憶部２は、貸主Ｘの基本情報と、操縦者の基本情報と、各貸主Ｘが貸出可能な被操縦機器に関する被操縦機器情報と、貸し出す被操縦機器の操縦者Ｙ又は操縦する被操縦機器の貸主Ｚを限定するために少なくとも一の貸主Ｘ又は操縦者Ｙによりに定められた限定条件と、を記憶している。制御部４は、受付部３が借主Ｚからの被操縦機器の借入希望条件を受け付けると、記憶部２を参照して、借入希望条件を満たす一又は複数の貸主Ｘ及び操縦者Ｙを抽出し、抽出された貸主Ｘ及び操縦者Ｙの中で、限定条件を満たす貸主Ｘと操縦者Ｙの組み合わせを貸借利用の組み合わせとして決定する。【選択図】図２
2019038976.tif 000002
【特許請求の範囲】
【請求項１】
操縦者を必要とする被操縦機器の貸借利用に関し、前記被操縦機器の貸主、前記被操縦機器の操縦者、及び、前記被操縦機器の借主の間のマッチングを行うための被操縦機器貸借利用マッチングシステムであって、
登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を限定するために少なくとも一の貸主又は操縦者によりに定められた限定条件と、を記憶した記憶部と、
前記借主からの被操縦機器の借入希望条件を受け付ける受付部と、
前記記憶部を参照して、前記借入希望条件を満たす一又は複数の貸主及び操縦者を抽出する抽出部と、
前記抽出された貸主及び操縦者の中で、前記限定条件を満たす貸主と操縦者の組み合わせを貸借利用の組み合わせとして決定する決定部と、
を備えたことを特徴とする被操縦機器貸借利用マッチングシステム。
【請求項２】
前記借主が操作する情報処理端末の表示部上に、前記決定された貸借利用の組み合わせを表示させると共に、前記決定された貸主の被操縦機器情報及び前記決定された操縦者の操縦情報を表示させる表示制御部を更に備えたことを特徴とする請求項１に記載の被操縦機器貸借利用マッチングシステム。
【請求項３】
前記限定条件として、更に、前記貸主−前記借主間の限定条件、又は、前記操縦者−前記借主間の限定条件が前記記憶部に記憶されていることを特徴とする請求項１又は２に記載の被操縦機器貸借利用マッチングシステム。
【請求項４】
操縦者を必要とする被操縦機器の貸借利用に関し、前記被操縦機器の貸主、前記被操縦機器の操縦者、及び、前記被操縦機器の借主の間のマッチングを行うためのコンピュータであって、登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を限定するために少なくとも一の貸主又は操縦者によりに定められた限定条件と、が記憶されるコンピュータにインストールされるプログラムであって、
前記借主からの被操縦機器の借入希望条件を受け付けるステップと、
前記コンピュータを参照して、前記借入希望条件を満たす一又は複数の貸主及び操縦者を抽出するステップと、
前記抽出された貸主及び操縦者の中で、前記限定条件を満たす貸主と操縦者の組み合わせを貸借利用の組み合わせとして決定するステップと、
を備えたことを特徴とする被操縦機器貸借利用マッチングプログラム。
【請求項５】
前記借主が操作する情報処理端末の表示部上に、前記決定された貸借利用の組み合わせを表示させると共に、前記決定された貸主の被操縦機器情報及び前記決定された操縦者の操縦情報を表示させるステップを更に備えたことを特徴とする請求項４に記載の被操縦機器貸借利用マッチングプログラム。
【請求項６】
前記限定条件として、更に、前記貸主−前記借主間の限定条件、又は、前記操縦者−前記借主間の限定条件が前記コンピュータに記憶されていることを特徴とする請求項４又は５に記載の被操縦機器貸借利用マッチングプログラム。
【発明の詳細な説明】
【技術分野】
【０００１】
本発明は、操縦者を必要とする被操縦機器の貸借利用を促進させるための被操縦機器貸借利用マッチングシステムに関する。
【背景技術】
【０００２】
従来より、輸送トラックの運行情報に基づいてリアルタイムに求貨情報の再作成を行い、荷主、輸送トラック、運転手の三者間のマッチングを行うシステムが知られている。（例えば、特許文献１参照）。
【先行技術文献】
【特許文献】
【０００３】
【特許文献１】特開２００３−８９４２６号公報
【発明の概要】
【発明が解決しようとする課題】
【０００４】
ところで、日本の航空機業界においては、航空会社に所属していない操縦士は、フライトの機会が限られているという現状がある。そのため、その能力の活用の場、及び、スキルアップの機会を得ることが難しくなっている。【０００５】
一方、自家用航空機に目を移すと、多くの自家用航空機は、休日にのみ使用され、平日は飛行場に駐機されているという現状がある。そのため、自家用航空機の所有者にとっては、その使用時間に対して維持費が大きな負担となっている。【０００６】
このように、日本の航空機業界では、人材（操縦士）及び航空機をうまく活用できていない。【０００７】
上記特許文献１に記載の技術を利用し、借主の要望に応じて、航空機、及び、操縦士をマッチングさせることも考えられるが、航空機は、非常に高価であり、また、フライトにも高い安全性及び技術が必要とされる。そのため、例えば、航空機の所有者側（貸主）には、「あの操縦士が操縦するのであれば貸し出したい／貸し出したくない」等の要望が生じ得るが、このような要望には、上記特許文献１に記載の技術を利用したとしても応えることはできない。【０００８】
そこで、本発明は、操縦者を必要とする被操縦機器の貸借利用を促進させるための被操縦機器貸借利用マッチングシステムを提供することを目的としている。
【課題を解決するための手段】
【０００９】
本発明は、操縦者を必要とする被操縦機器の貸借利用に関し、前記被操縦機器の貸主、前記被操縦機器の操縦者、及び、前記被操縦機器の借主の間のマッチングを行うための被操縦機器貸借利用マッチングシステムであって、登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を限定するために少なくとも一の貸主又は操縦者によりに定められた限定条件と、を記憶した記憶部と、前記借主からの被操縦機器の借入希望条件を受け付ける受付部と、前記記憶部を参照して、前記借入希望条件を満たす一又は複数の貸主及び操縦者を抽出する抽出部と、前記抽出された貸主及び操縦者の中で、前記限定条件を満たす貸主と操縦者の組み合わせを貸借利用の組み合わせとして決定する決定部と、を備えたことを特徴とする被操縦機器貸借利用マッチングシステムを提供している。【００１０】
このような構成によれば、借主側が貸主と操縦者を自ら探し出す必要、及び、自ら探し出した貸主と操縦者の相性等を考慮する必要がなくなる。これにより、操縦者を必要とする航空機等の被操縦機器の貸借利用が促進され、人材（操縦者）及び被操縦機器を効率よく活用することが可能となる。特に、高価かつ高い安全性及び技術が必要とされる航空機の貸借利用のように、貸主と操縦者の間に強い信頼性が必要となる場合には、被操縦機器貸借利用マッチングシステムは、より効果的であり、これにより、フライトが身近なものになることが期待される。【００１１】
また、前記借主が操作する情報処理端末の表示部上に、前記決定された貸借利用の組み合わせを表示させると共に、前記決定された貸主の被操縦機器情報及び前記決定された操縦者の操縦情報を表示させる表示制御部を更に備えたことが好ましい。【００１２】
このような構成によれば、借主は、希望する被操縦機器（貸主）と操縦者の組み合わせを様々な要素を考慮して決定することが可能となる。【００１３】
また、前記限定条件として、更に、前記貸主−前記借主間の限定条件、又は、前記操縦者−前記借主間の限定条件が記憶されていることが好ましい。【００１４】
このような構成によれば、貸主側の「あの操縦者が操縦するのであれば貸し出したい／貸し出したくない」、「あの借主には貸し出したい／貸し出したくない」、操縦者側の「あの貸主の被操縦機器であれば操縦したい／操縦したくない」、「あの借主の操縦をしたい／したくない」、借主側の「あの貸主の被操縦機器を借りたい／借りたくない」、「あの操縦者に操縦してもらいたい／もらいたくない」等の多くの要望に応えることが可能となる。【００１５】
また、本発明の別の観点によれば、操縦者を必要とする被操縦機器の貸借利用に関し、前記被操縦機器の貸主、前記被操縦機器の操縦者、及び、前記被操縦機器の借主の間のマッチングを行うためのコンピュータであって、登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を限定するために少なくとも一の貸主又は操縦者によりに定められた限定条件と、が記憶されるコンピュータにインストールされるプログラムであって、前記借主からの被操縦機器の借入希望条件を受け付けるステップと、前記コンピュータを参照して、前記借入希望条件を満たす一又は複数の貸主及び操縦者を抽出するステップと、前記抽出された貸主及び操縦者の中で、前記限定条件を満たす貸主と操縦者の組み合わせを貸借利用の組み合わせとして決定するステップと、を備えたことを特徴とする被操縦機器貸借利用マッチングプログラムを提供している。【００１６】
また、前記借主が操作する情報処理端末の表示部上に、前記決定された貸借利用の組み合わせを表示させると共に、前記決定された貸主の被操縦機器情報及び前記決定された操縦者の操縦情報を表示させるステップを更に備えたことが好ましい。【００１７】
また、前記限定条件として、更に、前記貸主−前記借主間の限定条件、又は、前記操縦者−前記借主間の限定条件が前記コンピュータに記憶されていることが好ましい。
【発明の効果】
【００１８】
本発明の被操縦機器貸借利用マッチングシステムによれば、操縦者を必要とする被操縦機器の貸借利用を促進させることが可能となる。
【図面の簡単な説明】
【００１９】
【図１】本発明の実施の形態による被操縦機器貸借利用マッチングシステムの全体構成図
【図２】本発明の実施の形態による制御部の動作を示すフローチャート
【図３】本発明の実施の形態による表示部に表示される申込画面の説明図
【図４】本発明の実施の形態による表示部に表示される被操縦機器選択画面の説明図
【図５】本発明の実施の形態による表示部に表示される見積り画面の説明図
【発明を実施するための形態】
【００２０】
以下、本発明の実施の形態による被操縦機器貸借利用マッチングシステム１について、図１−図５を参照して説明する。
【００２１】
本実施の形態による被操縦機器貸借利用マッチングシステム１は、操縦者を必要とする被操縦機器の貸借利用を促進させるためのものである。詳細には、図１に示すように、被操縦機器貸借利用マッチングシステム１に登録された被操縦機器の貸主Ｘ、被操縦機器の操縦者Ｙ、及び、被操縦機器の借主Ｚの間で被操縦機器貸借利用のマッチングを行うためのものである。本実施の形態では、本発明の“被操縦機器”及び“操縦者”として、“航空機”及び“操縦士”を採用した例を用いて説明を行う。
【００２２】
被操縦機器貸借利用マッチングシステム１は、各利用者が、各自の情報端末等で被操縦機器貸借利用マッチングシステム１の運営者が管理するｗｅｂサイトにアクセスし、登録画面（図示せず）で登録情報を入力することで、利用が可能となる。その上で、借主Ｚが、申込画面（図３）で必要事項を入力することで、被操縦機器貸借利用の申し込みが行われる。
【００２３】
図１に示すように、被操縦機器貸借利用マッチングシステム１は、記憶部２と、受付部３と、制御部４と、を備えている。なお、制御部４が、本発明の“抽出部”、“決定部”、及び、“表示制御部”に相当する。
【００２４】
記憶部２には、登録された一又は複数の貸主Ｘ、操縦者Ｙ、及び、借主Ｚに関する登録情報が記憶されている。
【００２５】
貸主Ｘの登録情報としては、氏名・住所等の“基本情報”と、貸出可能な被操縦機器の機種名・型式・経済巡航速度・航続距離・座席数・発着可能空港・貸出料等の“被操縦機器情報”と、非操縦機器を貸出可能な日時に関する“貸主側スケジュール情報”と、貸し出す被操縦機器の操縦者Ｙを限定するための“限定条件”と、が記憶されている。
【００２６】
“貸主側スケジュール情報”に関しては、被操縦機器貸借利用マッチングシステム１による貸出が決定した後には、被操縦機器貸借利用マッチングシステム１側で、当該貸出期間は「予約あり」に変更される。
【００２７】
また、本実施の形態では、“限定条件”として、「あの操縦者Ｙが操縦するのであれば貸し出す」という“承認”が記憶されているものとする。“承認”する操縦者Ｙには、既知の信頼のおける操縦者Ｙのみを指定してもよいし、後述する操縦者Ｙの“操縦情報”を参照して信頼のおけそうな操縦者Ｙを指定してもよい。
【００２８】
操縦者Ｙの登録情報としては、氏名・住所等の“基本情報”と、技能証明・保有資格・操縦可能な被操縦機器・総飛行時間・発着可能空港・操縦料等の”操縦情報”と、操縦可能な日時に関する“操縦者側スケジュール情報”とが記憶されている。
【００２９】
“操縦者側スケジュール情報”に関しては、被操縦機器貸借利用マッチングシステム１による操縦が決定した後には、被操縦機器貸借利用マッチングシステム１側で、当該操縦期間は「予約あり」に変更される。
【００３０】
借主Ｚの登録情報としては、氏名・住所等の“基本情報”が記憶されている。
【００３１】
受付部３は、借主Ｚにより情報端末の表示部Ａ（図３参照）を介して入力された希望する日時・搭乗人数・被操縦機器の機種等に関する“借入希望条件”を受け付ける。
【００３２】
また、制御部４は、記憶部２を参照して、受付部３が受け付けた“借入希望条件”を満たす一又は複数の貸主Ｘ及び操縦者Ｙを抽出し、抽出した貸主Ｘ及び操縦者Ｙを借主Ｚの情報端末の表示部Ａに表示させる。借主Ｚは、表示された貸主Ｘ及び操縦者Ｙの中から希望する貸主Ｘ（被操縦機器）及び操縦者Ｙを選択することで、被操縦機器貸借利用のマッチングが成立することとなる。
【００３３】
ここで、高価かつ高い安全性及び技術が必要とされる航空機（被操縦機器）の貸借利用という特殊性を考慮すると、借主Ｚ側の希望のみならず、貸主Ｘ及び操縦者Ｙ側にも要望が存在し得る。例えば、貸主Ｘの場合、「あの操縦者Ｙが操縦するのであれば安心して貸せる」等の要望が存在し得る。
【００３４】
そこで、本実施の形態による制御部４は、“借入希望条件”を満たす貸主Ｘ及び操縦者Ｙを単純に抽出するだけでなく、貸主Ｘから操縦者Ｙに対する“限定条件（承認）”も考慮する。
【００３５】
以下で、図２のフローチャートを参照して、制御部４による貸主Ｘ及び操縦者Ｙの抽出動作について説明する。本フローチャートは、受付部３が“借入希望条件”を受け付けた時に開始するものとする。
【００３６】
まず、制御部４は、“借入希望条件”を満たす一又は複数の貸主Ｘ及び操縦者Ｙを抽出する（Ｓ１）。
【００３７】
続いて、Ｓ１で抽出された貸主Ｘ及び操縦者Ｙの中で、貸主Ｘの“限定条件”で承認された操縦者Ｙが存在するか否かを判断する（Ｓ２）。
【００３８】
承認された操縦者Ｙが存在しない場合（Ｓ２：ＮＯ）、「該当なし」と情報端末の表示部Ａ上に表示させ（Ｓ３）、処理を終了する。
【００３９】
一方、承認された操縦者Ｙが存在した場合（Ｓ２：ＹＥＳ）、承認した貸主Ｘと、承認された操縦者Ｙと、を貸借利用の組み合わせとして決定する（Ｓ４）。複数の承認された操縦者Ｙが存在した場合には、複数の貸借利用の組み合わせを決定することとなる。
【００４０】
最後に、Ｓ４で決定された貸借利用の組み合わせの貸主Ｘと操縦者Ｙを関連付けて、情報端末の表示部Ａ上に表示させる（Ｓ５）。
【００４１】
図３は、被操縦機器の貸借利用のマッチングに当たり借主Ｚの情報端末の表示部Ａに表示される申込画面、図４は、表示部Ａに表示される被操縦機器選択画面、図５は、表示部Ａに表示される見積り画面を例示したものである。
【００４２】
借主Ｚが被操縦機器貸借利用マッチングシステム１にログインし、図３に示す申込画面において“借入希望条件”を入力すると、表示部Ａには、図４に示すように、図２のＳ４で決定された一又は複数の貸主Ｘ、又は、当該貸主Ｘの貸出可能な“被操縦機器情報”（図５では、貸主Ｘの貸出可能な“被操縦機器情報”）が選択可能に表示される。そして、借主Ｚにより、いずれかの貸主Ｘ（“被操縦機器情報”）が選択されると、図５に示すように、選択された貸主Ｘ（被操縦機器情報）とマッチングを行う場合の見積り画面が表示される。また、見積り画面には、承認された操縦者Ｙが表示され、これを選択することで、操縦者Ｙの“操縦情報”が表示されることが好ましい。
【００４３】
借主Ｚは、このように表示された“被操縦機器情報”及び”操縦情報”を参考にして、希望する被操縦機器（貸主Ｘ）と操縦者Ｙの組み合わせを決定することができる。組み合わせを決定した後は、図５の右下の“マッチング”ボタンを押すことで、決定した貸主Ｘと操縦者Ｙに対して、被操縦機器貸借利用マッチングシステム１側から借入希望があったことを自動的に送信する。そして、貸主Ｘと操縦者Ｙの双方が、借主Ｚへの貸出を承認したときに、マッチングが成立することとなる。
【００４４】
以上説明したように、本実施の形態による被操縦機器貸借利用マッチングシステム１では、借主Ｚ側の希望のみならず、貸主Ｘ−操縦者Ｙ間の要望（“限定条件”）も考慮して、被操縦機器の貸借利用のマッチングを行う。
【００４５】
このような構成によれば、借主Ｚ側が貸主Ｘと操縦者Ｙを自ら探し出す必要、及び、自ら探し出した貸主Ｘと操縦者Ｙの相性等を考慮する必要がなくなる。これにより、操縦者Ｙを必要とする航空機等の被操縦機器の貸借利用が促進され、人材（操縦者）及び被操縦機器を効率よく活用することが可能となる。特に、高価かつ高い安全性及び技術が必要とされる航空機の貸借利用のように、貸主Ｘと操縦者Ｙの間に強い信頼性が必要となる場合には、被操縦機器貸借利用マッチングシステム１は、より効果的であり、これにより、フライトが身近なものになることが期待される。
【００４６】
また、本実施の形態による被操縦機器貸借利用マッチングシステム１では、借主Ｚが操作する情報端末の表示部Ａ上に、図２のＳ４で決定された組み合わせの貸主Ｘと操縦者Ｙを関連付けて表示させると共に、決定された貸主Ｘの“被操縦機器情報”及び決定された操縦者Ｙの”操縦情報”を表示させる。
【００４７】
このような構成によれば、借主Ｚは、希望する被操縦機器（貸主Ｘ）と操縦者Ｙの組み合わせを様々な要素を考慮して決定することが可能となる。
【００４８】
尚、本発明の被操縦機器貸借利用マッチングシステムは、上述した実施の形態に限定されず、特許請求の範囲に記載した範囲で種々の変形や改良が可能である。
【００４９】
例えば、上記実施の形態では、“限定条件”において、貸主Ｘ側が操縦者Ｙを承認したが、操縦者Ｙ側が貸主Ｘを承認する構成でもよい。また、両者が互いの承認を必要とする構成であってもよい。この場合には、図２のＳ２において、互いに承認している貸主Ｘ及び操縦者Ｙの組み合わせが存在するか否かを判断することとなる。
【００５０】
また、被操縦機器貸借利用マッチングにおいては、借主Ｚ側としては、操縦者Ｙよりも先に被操縦機器を決定することが多いと考えられるため、上記実施の形態では、図３の申込画面において、借主Ｚにより“借入希望条件”が入力されると、図４の被操縦機器選択画面において、“借入希望条件”を満たす“被操縦機器情報”が先に表示された。しかしながら、“借入希望条件”を満たす一又は複数の貸主Ｘ、又は、操縦者Ｙが先に表示されるようにしてもよい。
【００５１】
また、上記実施の形態では、承認されていない操縦者Ｙはマッチングの対象から除外されていたが、承認されていない操縦者Ｙも除外せず、承認された操縦者Ｙと区別して表示するようにしてもよい。
【００５２】
また、上記実施の形態では、一の貸主Ｘに対して一の操縦者Ｙが決定された。しかしながら、一の貸主Ｘに対して複数の操縦者Ｙが決定されてもよい。その場合には、図５において、複数の見積り画面が表示されることとなる。
【００５３】
また、記憶部２には、“限定条件”として「あの操縦者Ｙが操縦するのであれば貸し出さない」という“拒否”を記憶してもよい。この場合には、拒否した貸主Ｘと、拒否された操縦者Ｙと、の組み合わせが、図２のＳ４で除外されることとなる。
【００５４】
また、上記実施の形態では、“限定条件”は、貸主Ｘ−操縦者Ｙ間に関するものであったが、貸主Ｘ−借主Ｚ間、又は、操縦者Ｙ−借主Ｚ間に関するものを加えてもよい。例えば、“限定条件”において貸主Ｘが承認している借主Ｚに対しては、図４の被操縦機器選択画面において、当該貸主Ｘ、又は、当該貸主Ｘの貸出可能な“被操縦機器情報”を優先的に表示させ、“限定条件”において貸主Ｘが拒否している借主Ｚに対しては、当該貸主Ｘ、又は、当該貸主Ｘの貸出可能な“被操縦機器情報”を表示しない等が考えられる。
【００５５】
これにより、貸主Ｘ側の「あの操縦者Ｙが操縦するのであれば貸し出したい／貸し出したくない」、「あの借主Ｚには貸し出したい／貸し出したくない」、操縦者Ｙ側の「あの貸主Ｘの被操縦機器であれば操縦したい／操縦したくない」、「あの借主Ｚの操縦をしたい／したくない」、借主Ｚ側の「あの貸主Ｘの被操縦機器を借りたい／借りたくない」、「あの操縦者Ｙに操縦してもらいたい／もらいたくない」等の多くの要望に応えることが可能となる。
【００５６】
また、上記実施の形態では、図２のＳ４で決定された組み合わせの貸主Ｘと操縦者Ｙを関連付けて、情報端末の表示部Ａ上に表示させたが、必ずしも表示させなくても、電気通信（ｅ−ｍａｉｌ、電話、ＦＡＸ）、郵送、電報等の別の手段で借主Ｚに連絡してもよい。
【００５７】
また、上記実施の形態では、本発明の“被操縦機器”として航空機を例に説明したが、貸借利用に操縦者を必要とする“被操縦機器”であれば、他の被操縦機器（自動車、船舶、宇宙船、重機、産業機器等）を採用することも可能である。特に、本発明の“被操縦機器貸借利用マッチングシステム”は、高価な被操縦機器や、高い安全性及び技術を必要とする被操縦機器の貸借利用をマッチングする際に、効果がより発揮される。
【００５８】
同様に、上記実施の形態では、本発明の“操縦者”として操縦士を例に説明したが、上記した他の被操縦機器に対応する運転手、オペレータ等を採用することも可能である。
【００５９】
また、本発明は、制御部４が行う処理に相当するプログラムや、当該プログラムを記憶した記録媒体にも応用可能である。記録媒体の場合、コンピュータ等に当該プログラムがインストールされることとなる。ここで、当該プログラムを記憶した記録媒体は、非一過性の記録媒体であっても良い。非一過性の記録媒体としては、ＣＤ−ＲＯＭ等が考えられるが、それに限定されるものではない。
【符号の説明】
【００６０】
１        被操縦機器貸借利用マッチングシステム
２        記憶部
３        受付部
４        制御部
Ａ        操作画面
Ｘ        貸主
Ｙ        操縦者
Ｚ        借主
【図１】
2019038976.tif 000003
【図２】
2019038976.tif 000004
【図３】
2019038976.tif 000005
【図４】
2019038976.tif 000006
【図５】
2019038976.tif 000007
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
操縦者を必要とする被操縦機器の貸借利用に関し、前記被操縦機器の貸主、前記被操縦機器の操縦者、及び、前記被操縦機器の借主の間のマッチングを行うための被操縦機器貸借利用マッチングシステムであって、
登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を既知の操縦者又は既知の貸主に限定するために少なくとも一の貸主又は操縦者によりに定められた限定条件と、を記憶した記憶部と、
前記借主からの被操縦機器の借入希望条件を受け付ける受付部と、
前記記憶部を参照して、前記借入希望条件を満たす一又は複数の貸主及び操縦者を抽出する抽出部と、
前記抽出された貸主及び操縦者の中で、前記限定条件を満たす貸主と操縦者の組み合わせを貸借利用の組み合わせとして決定する決定部と、
を備えたことを特徴とする被操縦機器貸借利用マッチングシステム。
【請求項２】
前記借主が操作する情報処理端末の表示部上に、前記決定された貸借利用の組み合わせを表示させると共に、前記決定された貸主の被操縦機器情報及び前記決定された操縦者の操縦情報を表示させる表示制御部を更に備えたことを特徴とする請求項１に記載の被操縦機器貸借利用マッチングシステム。
【請求項３】
前記限定条件として、更に、前記貸主−前記借主間の限定条件、又は、前記操縦者−前記借主間の限定条件が前記記憶部に記憶されていることを特徴とする請求項１又は２に記載の被操縦機器貸借利用マッチングシステム。
【請求項４】
操縦者を必要とする被操縦機器の貸借利用に関し、前記被操縦機器の貸主、前記被操縦機器の操縦者、及び、前記被操縦機器の借主の間のマッチングを行うためのコンピュータであって、登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主を既知の操縦者又は既知の貸主に限定するために少なくとも一の貸主又は操縦者によりに定められた限定条件と、が記憶されるコンピュータにインストールされるプログラムであって、
前記借主からの被操縦機器の借入希望条件を受け付けるステップと、
前記コンピュータを参照して、前記借入希望条件を満たす一又は複数の貸主及び操縦者を抽出するステップと、
前記抽出された貸主及び操縦者の中で、前記限定条件を満たす貸主と操縦者の組み合わせを貸借利用の組み合わせとして決定するステップと、
を備えたことを特徴とする被操縦機器貸借利用マッチングプログラム。
【請求項５】
前記借主が操作する情報処理端末の表示部上に、前記決定された貸借利用の組み合わせを表示させると共に、前記決定された貸主の被操縦機器情報及び前記決定された操縦者の操縦情報を表示させるステップを更に備えたことを特徴とする請求項４に記載の被操縦機器貸借利用マッチングプログラム。
【請求項６】
前記限定条件として、更に、前記貸主−前記借主間の限定条件、又は、前記操縦者−前記借主間の限定条件が前記コンピュータに記憶されていることを特徴とする請求項４又は５に記載の被操縦機器貸借利用マッチングプログラム。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
操縦者を必要とする被操縦機器の貸借利用に関し、前記被操縦機器の貸主、前記被操縦機器の操縦者、及び、前記被操縦機器の借主の間のマッチングを行うための被操縦機器貸借利用マッチングシステムであって、
登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主に対して少なくとも一の貸主又は操縦者により承認又は拒否が定められた限定条件と、を記憶した記憶部と、
前記借主からの被操縦機器の借入希望条件を受け付ける受付部と、
前記記憶部を参照して、前記借入希望条件を満たす一又は複数の貸主及び操縦者を抽出する抽出部と、
前記抽出された貸主及び操縦者の中で、前記限定条件を満たす貸主と操縦者の組み合わせを貸借利用の組み合わせとして決定する決定部と、
を備えたことを特徴とする被操縦機器貸借利用マッチングシステム。
【請求項２】
前記借主が操作する情報処理端末の表示部上に、前記決定された貸借利用の組み合わせを表示させると共に、前記決定された貸主の被操縦機器情報及び前記決定された操縦者の操縦情報を表示させる表示制御部を更に備えたことを特徴とする請求項１に記載の被操縦機器貸借利用マッチングシステム。
【請求項３】
前記限定条件として、更に、前記貸主−前記借主間の限定条件、又は、前記操縦者−前記借主間の限定条件が前記記憶部に記憶されていることを特徴とする請求項１又は２に記載の被操縦機器貸借利用マッチングシステム。
【請求項４】
操縦者を必要とする被操縦機器の貸借利用に関し、前記被操縦機器の貸主、前記被操縦機器の操縦者、及び、前記被操縦機器の借主の間のマッチングを行うためのコンピュータであって、登録された一又は複数の貸主の基本情報と、登録された一又は複数の操縦者の基本情報と、各貸主が貸出可能な被操縦機器に関する被操縦機器情報と、貸し出す被操縦機器の操縦者又は操縦する被操縦機器の貸主に対して少なくとも一の貸主又は操縦者により承認又は拒否が定められた限定条件と、が記憶されるコンピュータにインストールされるプログラムであって、
前記借主からの被操縦機器の借入希望条件を受け付けるステップと、
前記コンピュータを参照して、前記借入希望条件を満たす一又は複数の貸主及び操縦者を抽出するステップと、
前記抽出された貸主及び操縦者の中で、前記限定条件を満たす貸主と操縦者の組み合わせを貸借利用の組み合わせとして決定するステップと、
を備えたことを特徴とする被操縦機器貸借利用マッチングプログラム。
【請求項５】
前記借主が操作する情報処理端末の表示部上に、前記決定された貸借利用の組み合わせを表示させると共に、前記決定された貸主の被操縦機器情報及び前記決定された操縦者の操縦情報を表示させるステップを更に備えたことを特徴とする請求項４に記載の被操縦機器貸借利用マッチングプログラム。
【請求項６】
前記限定条件として、更に、前記貸主−前記借主間の限定条件、又は、前記操縦者−前記借主間の限定条件が前記コンピュータに記憶されていることを特徴とする請求項４又は５に記載の被操縦機器貸借利用マッチングプログラム。
【国際調査報告】
2019038976.tif 000008
2019038976.tif 000009